(57)【要約】【課題】水平縁の下面と側壁の上端面との間に生じる間隙からのコンクリートや砂の流入を遮断し得るとともに、コスト高を招来することなく、水平縁の外端部分の強度を高め得る溝路用通水被覆装置を提供する。【解決手段】左右の支持枠８，８を連結する梁部材１０上に乗載した支持枠８，８の水平縁７，７に、溝路１の側壁４，４の上方位置から該側壁４，４の上端面に向けて延出する延出縁２１，２１を設けた。これにより、溝路１の側壁４，４の上端面と、支持枠８，８の水平縁７，７の下面との間に生じる間隙Ｓ，Ｓを前記延出縁２１，２１によってほぼ塞ぐことができ、施工時に間隙Ｓ，Ｓから溝路１内に流入するコンクリートや、化粧ブロック１９の下地材として敷設される砂２４を遮断することができる。また、延出縁２１，２１によってリブ作用が得られるので、水平縁７，７の外端部分の強度を高めることができる。【選択図】図１
0003158676.tif 000002
【実用新案登録請求の範囲】
【請求項１】
少なくとも一方に水平縁が連成された立ち上がり縁からなる左右の支持枠を備え、該両支持枠の立ち上がり縁が溝路の上部で所定間隔を置いて対向配置され、該両立ち上がり縁間に通水部が形成されるとともに、支持枠の水平縁によって残余の溝路の上部が覆われ、かつ両支持枠が該支持枠の長手方向に所定間隔で配設された複数の梁部材によって連結され、各梁部材が溝路を構成する左右の側壁上に差し渡されてなる溝路用通水被覆装置において、
前記各梁部材上に少なくとも一方の支持枠の水平縁が乗載され、かつ該水平縁に、溝路の側壁の上方位置から該溝路の側壁の上端面に向けて延出する延出縁が設けられていることを特徴とする溝路用通水被覆装置。
【請求項２】
延出縁が、その下端を溝路の側壁の上端面に当接させて設けられていることを特徴とする請求項１記載の溝路用通水被覆装置。
【請求項３】
両支持枠の立ち上がり縁を溝路の上部の側部に偏倚した位置で対向させることにより、該両立ち上がり縁間に形成される通水部を溝路の上部の側部に位置させるとともに、各梁部材の一端が、溝路の一方の側壁の上端面に一方の支持枠の延出縁の下端部を介して乗載され、かつ各梁部材の他端が、溝路の他方の側壁の上端面に他方の支持枠の水平縁又は立ち上がり縁の下端部を介して乗載されていることを特徴とする請求項２記載の溝路用通水被覆装置。
【考案の詳細な説明】
【技術分野】
【０００１】
本考案は、排水溝等の溝路上に配設される溝路用通水被覆装置に関する。
【背景技術】
【０００２】
Ｕ字溝等の上部が大きく開放された溝路部材を用いて構築される溝路は、従来、その通水性を確保するために、帯板状金属杆を格子状に組み付けたグレーチング蓋からなる通水溝蓋によって上部開口を遮蔽するようにしていた。しかしながら、近年、化粧タイルや化粧ブロックを敷設したカラー舗装路面が多くなり、このようなカラー舗装路面と調和する意匠性に優れた溝蓋が要求されるようになったため、その一形態として内部に化粧タイルや化粧ブロック等の舗装材を充填し得る溝蓋が種々提供されている。
【０００３】
このような溝蓋は、箱枠状に形成された蓋本体を備えており、この箱枠状の蓋本体内に化粧タイルや化粧ブロック等の舗装材が充填されるが、その充填に際して、蓋本体内に化粧タイルや化粧ブロックが整然と収まるように、蓋本体内からはみ出す化粧タイルや化粧ブロックの余剰部分を切除しなければならないため、その加工に手間が掛かる上、施工後においても、蓋本体内に充填された舗装材と、溝路の周囲上面に敷設された舗装材との間に、蓋本体と受枠の目地が露出するため、該目地によってカラー舗装路面の意匠的な連続性が分断されてしまうという問題点があった。
【０００４】
一方、このような問題点が生じない構成を備えた排水溝構造も提案されている。このものは、図８に示すように、溝路部材ａの両側壁ｂ，ｂ上に載置して溝路ｊの中央へ向けて延出させた水平縁ｃと該水平縁ｃの内側端部に立設した垂直縁ｄとからなる左右一対の支持枠ｅ，ｅと、該両支持枠ｅ，ｅを連結する梁部材ｆとを備えており、前記両支持枠ｅ，ｅの垂直縁ｄ，ｄ間に形成される通水部内に通水溝蓋ｇを配設するようにしている（特許文献１参照）。かかる構成にあっては、溝路ｊの周囲に敷設される化粧タイルや化粧ブロック等の舗装材ｈを、両支持枠ｅ，ｅの水平縁ｃ，ｃ上で垂直縁ｄ，ｄ際まで連続して敷設することができるため、従来の箱枠状の蓋本体を用いるカラー舗装用の溝蓋のように、蓋本体内からはみ出す化粧タイルや化粧ブロックの余剰部分を切除する必要がなく、また、敷設した舗装材ｈの、両側壁ｂ，ｂ上に対応する部分に支持枠ｅ，ｅの目地が露出しないため、カラー舗装路面の意匠的な連続性が損なわれないという利点がある。
【０００５】
また、同様の排水溝構造にあって、左右の支持枠を連結する梁部材の両端部を、溝路部材の両側壁の上部内側縁に形成したＬ形受け部に夫々載置するようにした構成も知られている（特許文献２参照）。
【０００６】
上述した特許文献１に開示された構成にあっては、左右一対の支持枠ｅ，ｅを連結する梁部材ｆが、両支持枠ｅ，ｅの水平縁ｃ，ｃの下面に溶接を介して固着されており、また、該梁部材ｆの長さが、溝路部材ａの開口幅内に収まる長さとなっている。そして、このような梁部材ｆによって連結された水平縁ｃ，ｃの外側端部が、溝路部材ａの両側壁ｂ，ｂ上に載置されていることにより、支持枠ｅ，ｅ上に敷設された舗装材ｈや通水溝蓋ｇ上を自動車等の重量の大きなものが通過した場合に、その荷重が梁部材ｆのない水平縁ｃ，ｃの外側端縁近傍部分ｎに集中して掛かるため、当該部分に変形が生じ易く、このように水平縁ｃ，ｃのみで荷重を受けるものにあっては、自動車等の大きな荷重に耐える所定の強度を得ることができないという問題点があった。従って、このような強度的な弱点に対処するために、溝路部材ａの上部周囲に配設される鉄筋等からなる芯材ｋ（図８参照）を両支持枠ｅ，ｅの水平縁ｃ，ｃ上まで延出させてその先端部を垂直縁ｄ，ｄに溶接するとともに、コンクリートを打設して、この芯材入りのコンクリート層ｍを水平縁ｃ，ｃ上に固着させることによって、支持枠ｅ，ｅの強度を高めなければならなかった。しかしながら、このように鉄筋等からなる芯材ｋを施工現場において水平縁ｃ，ｃ上まで配筋するには、手間と費用が掛かる上、施工期間も長くなるという問題点があり、また、舗装材ｈとして化粧ブロックを用いる場合には、水平縁ｃ，ｃ上に砂が敷設されるため、上記のような芯材入りのコンクリート層ｍを形成することができないという問題点があった。
【０００７】
また、特許文献２に開示された構成にあっては、溝路部材の両側壁の上部内側縁に夫々形成したＬ形受け部に、左右の支持枠を連結する梁部材の両端部が夫々載置されているため、該梁部材によって自動車等の大きな荷重に耐える所定の強度を得ることができる。しかしながら、溝路部材として市販されているＵ字溝において、両側壁の上部内側縁にこのようなＬ形受け部が形成されたＵ字溝は存在しない。従って、実施に際しては、市販のＵ字溝に対してＬ形受け部の形成加工をその都度行わなければならないのであるが、このＬ形受け部の形成加工には、膨大な時間と手間と加工費用を要するという問題点がある。また、Ｕ字溝等の溝路部材を用いることなく、現場におけるコンクリートの打設によって、溝路を構築する場合にあっても、通常の型枠以外にＬ形受け部形成用の型枠を別途組み付けなければならないため、手間と時間を要するという問題点があった。
【０００８】
一方、道路や通路の側溝として構築される溝路は、Ｕ字溝等の溝路部材ａをできるだけ道路や通路の端に寄せるようにして設置するのが普通であるが、上述した従来構成のように、溝路部材ａの両側壁ｂ，ｂ上に水平縁ｃ，ｃの外側端部を載置し、その内側端部を溝路ｊの中央へ向けて延出させた左右一対の支持枠ｅ，ｅを備えたものにあっては、道路等の外端側に位置する一方の支持枠ｅの水平縁ｃ上に、化粧タイルや化粧ブロック等の舗装材ｈを敷設するに際して、該水平縁ｃ上の敷設スペース内に化粧タイルや化粧ブロックが整然と収まるように、敷設スペースからはみ出す化粧タイルや化粧ブロックの余剰部分を切除しなければならないため、その加工に手間が掛かるという問題点があった。
【０００９】
そこで、本願出願人は、上述した従来構成の問題点を一挙に解消し得る溝路用通水被覆装置を既に提案している（特許文献３参照）。
【００１０】
かかる溝路用通水被覆装置は、図９に示すように、水平縁７が連成された立ち上がり縁６からなる左右の支持枠８，８を備え、該両支持枠８，８の立ち上がり縁６，６が溝路１の上部で所定間隔を置いて対向配置され、該両立ち上がり縁６，６間に通水部９が形成されるとともに、支持枠８，８の水平縁７，７によって残余の溝路１の上部が覆われ、かつ両支持枠８，８が該支持枠８，８の長手方向に所定間隔で配設された複数の梁部材１０によって連結されてなる溝路用通水被覆装置５’にあって、前記各梁部材１０上に支持枠８，８の水平縁７，７を乗載し、かつ各梁部材１０の左右両端部を、溝路１を構成する左右の側壁４，４の上端面に乗載するようにしている。また、特許文献３では、両支持枠８，８の立ち上がり縁６，６を溝路１の上部の側部に偏倚した位置で対向させることにより、該両立ち上がり縁６，６間に形成される通水部９を溝路１の上部の側部に位置させるようにした構成も提案されている。
【００１１】
かかる溝路用通水被覆装置５’にあっては、各梁部材１０の左右両端部を、溝路１を構成する左右の側壁４，４の上端面に乗載しているので、溝路用通水被覆装置５’上に自動車等の重量の大きなものの荷重が掛かっても、溝路１の左右の側壁４，４上に差し渡された梁部材１０によって、その荷重に耐える所定の強度を得ることができる。また、溝路部材として市販されているＵ字溝に何ら加工を施す必要がなく、さらに、溝路が側溝である場合に、道路等の外端側における舗装材の敷設を不要とし得る等の優れた効果がある。
【先行技術文献】
【特許文献】
【００１２】
【特許文献１】特開２００４−１６９３７５号公報
【特許文献２】特開２００４−３４６７０１号公報（図９）
【特許文献３】特開２００７−１５４５５５号公報（図１２，図１４）
【考案の概要】
【考案が解決しようとする課題】
【００１３】
ところで、従来構成の溝路用通水被覆装置５’にあっては、支持枠８，８の長手方向に所定間隔で配設された複数の梁部材１０上に支持枠８，８の水平縁７，７を乗載していることにより、梁部材１０のない部分においては、水平縁７，７の下面と側壁４，４の上端面との間に梁部材１０の高さ寸法に相当する間隙Ｓが生じる状態となるため、該間隙Ｓから施工時に打設される舗装材２０のコンクリート１８や、化粧ブロックの下地材として敷設される砂が溝路１内に流入する虞があった。
【００１４】
また、梁部材１０のない部分においては、水平縁７，７が梁部材１０によって支持されないため、この非支持部分で特に水平縁７，７の外端部分の強度が低下するという問題点があった。この問題点を解消するには、水平縁７，７の板厚を厚くするか、或いは、梁部材１０の数を増やして各梁部材１０の相互間隔を狭めればよいのであるが、かかる構成にすることによって製造コストが高くなるという問題点があった。
【００１５】
本考案は、このような従来構成の問題点を解消するためになされたものであって、水平縁の下面と側壁の上端面との間に生じる間隙からのコンクリートや砂の流入を遮断し得るとともに、コスト高を招来することなく、水平縁の外端部分の強度を高め得る溝路用通水被覆装置を提供することを目的とするものである。
【課題を解決するための手段】
【００１６】
本考案は、少なくとも一方に水平縁が連成された立ち上がり縁からなる左右の支持枠を備え、該両支持枠の立ち上がり縁が溝路の上部で所定間隔を置いて対向配置され、該両立ち上がり縁間に通水部が形成されるとともに、支持枠の水平縁によって残余の溝路の上部が覆われ、かつ両支持枠が該支持枠の長手方向に所定間隔で配設された複数の梁部材によって連結され、各梁部材が溝路を構成する左右の側壁上に差し渡されてなる溝路用通水被覆装置において、前記各梁部材上に少なくとも一方の支持枠の水平縁が乗載され、かつ該水平縁に、溝路の側壁の上方位置から該溝路の側壁の上端面に向けて延出する延出縁が設けられていることを特徴とする溝路用通水被覆装置である。
【００１７】
ここで、延出縁は、水平縁の外端を下方へ屈曲させて設けたり、別体形成した帯板状部材を水平縁に溶接手段を介して接合することにより設けられ得る。また、延出縁の下端は、溝路の側壁の上端面に近接させることが好ましい。
【００１８】
前記溝路用通水被覆装置にあって、延出縁が、その下端を溝路の側壁の上端面に当接させて設けられている構成が提案される。
【００１９】
さらに、両支持枠の立ち上がり縁を溝路の上部の側部に偏倚した位置で対向させることにより、該両立ち上がり縁間に形成される通水部を溝路の上部の側部に位置させるとともに、各梁部材の一端が、溝路の一方の側壁の上端面に一方の支持枠の延出縁の下端部を介して乗載され、かつ各梁部材の他端が、溝路の他方の側壁の上端面に他方の支持枠の水平縁又は立ち上がり縁の下端部を介して乗載されている構成が提案される。
【考案の効果】
【００２０】
本考案は、上述したように、各梁部材上に少なくとも一方の支持枠の水平縁を乗載し、かつ該水平縁に、溝路の側壁の上方位置から該溝路の側壁の上端面に向けて延出する延出縁を設けたので、溝路の側壁の上端面と支持枠の水平縁の下面との間に生じる間隙を前記延出縁によってほぼ塞ぐことができ、これによって該間隙から溝路内に流入するコンクリートや砂を遮断することができる。また、前記延出縁によってリブ作用が得られるので、製造コストを大幅に上げることなく、水平縁の外端部分の強度を高めることができる。
【００２１】
また、延出縁が、その下端を溝路の側壁の上端面に当接させて設けられている構成にあっては、溝路の側壁の上端面と支持枠の水平縁の下面との間に生じる間隙を延出縁によって完全に塞ぐことができるので、コンクリートや砂の流入を確実に防止することができる。また、下端が溝路の側壁の上端面に当接する延出縁によって水平縁を支持することができるので、水平縁の外端部分の強度をさらに高めることができる。
【００２２】
さらに、両支持枠の立ち上がり縁を溝路の上部の側部に偏倚した位置で対向させることにより、該両立ち上がり縁間に形成される通水部を溝路の上部の側部に位置させるとともに、各梁部材の一端を、溝路の一方の側壁の上端面に一方の支持枠の延出縁の下端部を介して乗載し、かつ各梁部材の他端を、溝路の他方の側壁の上端面に他方の支持枠の水平縁又は立ち上がり縁の下端部を介して乗載するようにした構成にあっては、通水部を溝路の上部の最も側部に偏倚した位置に形成することができるとともに、延出縁が、その下端を溝路の一方の側壁の上端面に当接させて設けられることとなるため、溝路の一方の側壁の上端面と、一方の支持枠の水平縁の下面との間に生じる間隙を延出縁によって完全に塞ぐことができ、該間隙からのコンクリートや砂の流入を確実に防止することができる。また、下端が溝路の一方の側壁の上端面に当接する延出縁によって一方の支持枠の水平縁を支持することができるので、該水平縁の外端部分の強度をさらに高めることができる。
【図面の簡単な説明】
【００２３】
【図１】第１実施例にかかる溝路用通水被覆装置５の施工状態を示す縦断面図である。
【図２】同上の溝路用通水被覆装置５の外観斜視図である。
【図３】第１実施例の変形実施例にかかる溝路用通水被覆装置５の施工状態を示す縦断面図である。
【図４】第２実施例にかかる溝路用通水被覆装置５の施工状態を示す縦断面図である。
【図５】（Ａ）は延出縁２１に形成された切欠溝１２ａと立ち上がり縁６に形成された切欠溝１２ｂを示す斜視図、（Ｂ）は延出縁２１に形成された挿通口２５ａと立ち上がり縁６に形成された挿通口２５ｂを示す斜視図である。
【図６】第３実施例にかかる溝路用通水被覆装置５の施工状態を示す縦断面図である。
【図７】第３実施例の変形実施例にかかる溝路用通水被覆装置５の施工状態を示す縦断面図である。
【図８】従来構成の施工状態を示す縦断面図である。
【図９】他の従来構成の施工状態を示す縦断面図である。
【考案を実施するための形態】
【００２４】
以下に、本考案の第１実施例を、図１〜図３に基づいて説明する。
溝路１は、図１，図２に示すように、底壁３と左右の側壁４，４とによって断面略Ｕ字状に形成されたＵ字溝からなる複数の溝路部材２を、地盤の所定深さ位置に一列状に埋設して構築されている。
【００２５】
本考案にかかる溝路用通水被覆装置５は、前記溝路１の上部開口を通水可能に覆うものであり、この第１実施例の溝路用通水被覆装置５にあっては、垂直な立ち上がり縁６に水平縁７が連成された左右一対の支持枠８，８を備えている。該両支持枠８，８は、その立ち上がり縁６，６が溝路１の上部の略中央で所定間隔を置いて対向配置され、該両立ち上がり縁６，６間に通水部９が形成されている。また、この通水部９以外の溝路１の上部開口は、両支持枠８，８の水平縁７，７で遮蔽されている。両支持枠８，８は、鉄鋼又はステンレス鋼からなる板状の金属材を素材にして形成されており、その長さは、図２に示すように、一列状をなす複数の溝路部材２の長手方向に亘る所定の長さとなっている。尚、各支持枠８の立ち上がり縁６と水平縁７は、図１に示すように、一枚の金属板を断面Ｌ形に屈曲させて形成してもよいし、図３に示す変形実施例のように、二枚の金属板を溶接によって断面Ｌ形となるように接合して形成することも可能である。
【００２６】
左右の支持枠８，８は、図２に示すように、該支持枠８，８の長手方向に所定間隔で配設された複数の梁部材１０によって連結されている。各梁部材１０は強度に優れた金属製の角パイプからなり、その長さは、溝路１を構成する左右の側壁４，４の外面１１，１１から若干外方に突出する所定の長さとなっている。各梁部材１０上には、左右の支持枠８，８の水平縁７，７が乗載され、かつ該水平縁７，７には、溝路１を構成する左右の側壁４，４の上方位置から該溝路１の側壁４，４の上端面に向けて延出する延出縁２１，２１が溝路１の長手方向に沿って設けられている。ここで、該延出縁２１，２１は、その下端を溝路１の側壁４，４の上端面に当接させて設けることが好ましいが、延出縁２１，２１の下端は必ずしも側壁４，４の上端面に当接することなく近接する状態であってもよい。尚、該延出縁２１，２１は、水平縁７，７の外端を下方へ向けて屈曲させることにより設けてもよいし、図３に示す変形実施例のように、別体形成した帯板状部材を水平縁に溶接手段を介して接合することにより設けることも可能である。各梁部材１０は、支持枠８，８の水平縁７，７の下面に当接して配設され、該水平縁７，７の延出縁２１，２１に夫々形成された下向き矩形の切欠溝１２ａ（図５（Ａ）参照）に挿通した状態で、水平縁７，７または水平縁７，７と切欠溝１２ａ，１２ａの溝縁とに溶接によって接合されている。そして、このように左右の支持枠８，８を移動不能に連結した各梁部材１０の左右両端部が、溝路１を構成する左右の側壁４，４の上端面に乗載されている。
【００２７】
また、立ち上がり縁６，６間に形成された通水部９には、金属製通水被覆部材１３が配設されている。該金属製通水被覆部材１３は、鉄鋼製、ステンレス鋼製または鋳鉄製のグレーチング蓋からなり、両立ち上がり縁６，６間に横架された嵩上げ杆２３上に着脱可能に乗載されている。この金属製通水被覆部材１３は、グレーチング蓋以外に、図３に示す変形実施例のように、例えば多数の小孔１４を穿設した天板部１５を備えた断面伏コ字形の蓋体を用いてもよい。
【００２８】
前記各梁部材１０の両端部には、溶接によって接合した固定杆１６が、溝路１の側壁４，４の外面１１，１１に沿うようにして夫々下方に垂設されており、各固定杆１６には先端が溝路１の側壁４，４の外面１１，１１に圧接可能な固定螺子１７が夫々外側方から螺合されている。そして、該固定螺子１７を締め付け方向に螺回操作して、各固定螺子１７の先端部を側壁４，４の外面１１，１１に圧接させることにより、その緊締作用を介して、梁部材１０を溝路１の側壁４，４に固定するようにしている。そして、このような固定状態において、左右の支持枠８，８の水平縁７，７上に、溝路１の周囲上部に敷設される化粧ブロック１９とその下地材として砂２４とからなる舗装材２０が連続状に敷設されている。
【００２９】
従って、施工に際しては、溝路用通水被覆装置５を溝路１の側壁４，４上に載置した後、各固定螺子１７の螺回操作による緊締作用を介して、各梁部材１０及び支持枠８，８を溝路１の側壁４，４に固定することができるため、その固定状態において、支持枠８，８の水平縁７，７上への舗装材２０の敷設作業を楽に行うことができる。また、左右両側から各固定螺子１７，１７を緊締するようにしていることにより、溝路１を構成する複数の溝路部材２の列設状態における直線度が多少悪くても、そのズレを吸収することができるため、施工精度を向上させることができる。
【００３０】
かかる構成にあって、各梁部材１０の左右両端部が、溝路１を構成する左右の側壁４，４の上端面に乗載されていることにより、溝路用通水被覆装置５上に自動車等の重量の大きなものの荷重が掛かっても、溝路１の左右の側壁４，４上に差し渡された各梁部材１０によって、その荷重に耐える所定の強度を得ることができる。
【００３１】
そして、この第１実施例にあっては、各梁部材１０上に左右の支持枠８，８の水平縁７，７を乗載し、かつ該水平縁７，７に、溝路１の側壁４，４の上方位置から該溝路１の側壁４，４の上端面に向けて延出する延出縁２１，２１を溝路１の長手方向に沿って設けたので、溝路１の側壁４，４の上端面と支持枠８，８の水平縁７，７の下面との間に生じる間隙Ｓを前記延出縁２１，２１によってほぼ塞ぐことができ、これによって施工時に間隙Ｓから溝路１内に流入するコンクリート１８（図９参照）や、化粧ブロック１９の下地材として敷設される砂２４を遮断することができる。また、前記延出縁２１，２１によってリブ作用が得られるので、製造コストを大幅に上げることなく、水平縁７，７の外端部分の強度を高めることができる。
【００３２】
また、前記延出縁２１，２１を、その下端が溝路１の側壁４，４の上端面に当接するように設ければ、溝路１の側壁４，４の上端面と、支持枠８，８の水平縁７，７の下面との間に生じる間隙Ｓを延出縁２１，２１によって完全に塞ぐことができるので、コンクリート１８や砂２４の流入を確実に防止することができる。また、下端が溝路１の側壁４，４の上端面に当接する延出縁２１，２１によって水平縁７，７を支持することができるので、該水平縁７，７の外端部分の強度をさらに高めることができる。
【００３３】
尚、図１〜図３では、延出縁２１，２１を略鉛直に垂下させた状態を図示したが、該延出縁２１，２１は適宜の角度で傾斜させてもよい。
【００３４】
図４は第２実施例を示し、この第２実施例は、前記第１実施例（図１参照）における両支持枠８，８の立ち上がり縁６，６を溝路１の上部の側部に偏倚した位置で対向させることにより、該両立ち上がり縁６，６間に形成される通水部９を溝路１の上部の側部に位置させ、かつ残余の溝路１の上部を一方の支持枠８（図中右側）の水平縁７で覆うようにしたものである。ここで、一方の支持枠８（図中右側）の水平縁７を溝路１の上部を略覆う広幅とし、他方の支持枠８（図中左側）を立ち上がり縁６のみとしており、前記一方の支持枠８（図中右側）の水平縁７が各梁部材１０上に乗載され、かつ該水平縁７に、溝路１の一方の側壁４の上方位置から該溝路１の側壁４の上端面に向けて延出する延出縁２１が溝路１の長手方向に沿って設けられている。
【００３５】
各梁部材１０は、一方の支持枠８（図中右側）の水平縁７の下面に当接して配設され、該水平縁７の延出縁２１に形成された下向き矩形の切欠溝１２ａ（図５（Ａ）参照）と、他方の支持枠８（図中左側）の立ち上がり縁６に形成された下向き矩形の切欠溝１２ｂ（図５（Ａ）参照）に挿通した状態で、水平縁７と切欠溝１２ｂの溝縁または水平縁７と切欠溝１２ａ，１２ｂの溝縁とに溶接によって接合されている。そして、このように左右の支持枠８，８を移動不能に連結した各梁部材１０の左右両端部が、溝路１を構成する左右の側壁４，４の上端面に乗載されている。その他の構成は前記第１実施例と同じであり、構成が共通する部分に第１実施例と同じ符号を付して重複する説明を省略する。
【００３６】
かかる構成にあっては、通水部９を溝路１の上部の最も側部に偏倚した位置に形成することができる。これにより、溝路１が側溝である場合、或いは溝路１の外端側に壁や塀等の立ち上がり部２２がある場合に、道路側に敷設される舗装材２０を一方の支持枠８の広幅の水平縁７上に連続状に敷設するだけでよいため、道路の外端側における舗装材２０の敷設作業を不要とすることができ、施工が容易となる。
【００３７】
そして、この第２実施例にあっては、各梁部材１０上に一方の支持枠８の水平縁７を乗載し、かつ該水平縁７に、溝路１の一方の側壁４の上方位置から該溝路１の側壁４の上端面に向けて延出する延出縁２１を溝路１の長手方向に沿って設けたので、溝路１の一方の側壁４の上端面と、一方の支持枠８の水平縁７の下面との間に生じる間隙Ｓを前記延出縁２１によってほぼ塞ぐことができ、これによって施工時に間隙Ｓから溝路１内に流入するコンクリート１８（図９参照）や、化粧ブロック１９の下地材として敷設される砂２４を遮断することができる。また、前記延出縁２１によってリブ作用が得られるので、製造コストを大幅に上げることなく、水平縁７の外端部分の強度を高めることができる。
【００３８】
また、前記延出縁２１を、その下端が溝路１の一方の側壁４の上端面に当接するように設ければ、溝路１の一方の側壁４の上端面と、支持枠８の水平縁７の下面との間に生じる間隙Ｓを延出縁２１によって完全に塞ぐことができるので、コンクリート１８や砂２４の流入を確実に防止することができる。また、下端が溝路１の一方の側壁４の上端面に当接する延出縁２１によって水平縁７を支持することができるので、該水平縁７の外端部分の強度をさらに高めることができる。
【００３９】
図６は第３実施例を示し、この第３実施例は、前記第２実施例（図４参照）と同様に、両支持枠８，８の立ち上がり縁６，６を溝路１の上部の側部に偏倚した位置で対向させることにより、該両立ち上がり縁６，６間に形成される通水部９を溝路１の上部の側部に位置させ、かつ残余の溝路１の上部を一方の支持枠８（図中右側）の水平縁７で覆うようにしたものである。ここで、一方の支持枠８（図中右側）の水平縁７を溝路１の上部を略覆う広幅とし、他方の支持枠８（図中左側）の水平縁７を溝路１の側壁４の上面の幅に略一致する狭幅としており、前記一方の支持枠８（図中右側）の水平縁７が各梁部材１０上に乗載され、かつ該水平縁７に、溝路１の一方の側壁４の上方位置から該溝路１の側壁４の上端面に向けて延出する延出縁２１が溝路１の長手方向に沿って設けられている。
【００４０】
各梁部材１０は、一方の支持枠８（図中右側）の水平縁７の下面に当接して配設され、かつ、他方の支持枠８（図中左側）の水平縁７の上面に当接して配設されており、一方の支持枠８の延出縁２１に形成された挿通口２５ａ（図５（Ｂ）参照）と、他方の支持枠８の立ち上がり縁６に形成された挿通口２５ｂ（図５（Ｂ）参照）に挿通した状態で、両水平縁７，７または両水平縁７，７と挿通口２５ａ，２５ｂの溝縁に溶接によって接合されている。そして、このように左右の支持枠８，８を移動不能に連結した各梁部材１０の一端が、溝路１の一方の側壁４の上端面に一方の支持枠８の延出縁２１の下端部を介して乗載され、かつ各梁部材１０の他端が、溝路１の他方の側壁４の上端面に他方の支持枠８の水平縁７を介して乗載されている。ここで、各梁部材１０の一端を支持する延出縁２１の下端部は、他方の支持枠８の水平縁７の厚み分だけ各梁部材１０の下部に突出しており、これによって各梁部材１０が水平に保持され、かつ各梁部材１０の両端部が溝路１の側壁４，４の上端面に直接乗載されないようになっている。
【００４１】
かかる構成にあっては、延出縁２１が、その下端を溝路１の一方の側壁４の上端面に当接させて設けられていることにより、溝路１の一方の側壁４の上端面と、一方の支持枠８の水平縁７の下面との間に生じる間隙Ｓを延出縁２１によって完全に塞ぐことができ、該間隙Ｓからのコンクリート１８や砂２４の流入を確実に防止することができる。また、下端が溝路１の一方の側壁４の上端面に当接する延出縁２１によって水平縁７を支持することができるので、該水平縁７の外端部分の強度をさらに高めることができる。
【００４２】
尚、上述した第３実施例にあっては、他方の支持枠８（図中左側）の水平縁７を溝路１の側壁４の上面の幅に略一致する狭幅としたが、これに代えて、図７に示す変形実施例のように、他方の支持枠８（図中左側）を立ち上がり縁６のみとし、該立ち上がり縁６の下端部を介して各梁部材１０の端部を他方の側壁４の上端面に乗載させるようにしてもよい。
【符号の説明】
【００４３】
１  溝路
４  側壁
５  溝路用通水被覆装置
６  立ち上がり縁
７  水平縁
８  支持枠
９  通水部
１０  梁部材
２１  延出縁
【図１】
0003158676.tif 000003
【図２】
0003158676.tif 000004
【図３】
0003158676.tif 000005
【図４】
0003158676.tif 000006
【図５】
0003158676.tif 000007
【図６】
0003158676.tif 000008
【図７】
0003158676.tif 000009
【図８】
0003158676.tif 000010
【図９】
0003158676.tif 000011
【手続補正書】
【提出日】平成22年2月4日(2010.2.4)
【手続補正１】
【補正対象書類名】実用新案登録請求の範囲
【補正対象項目名】全文
【補正方法】変更
【補正の内容】
【実用新案登録請求の範囲】
【請求項１】
少なくとも一方に水平縁が連成された立ち上がり縁からなる左右の支持枠を備え、該左右の支持枠の立ち上がり縁が溝路の上部で所定間隔を置いて対向配置され、該左右の支持枠の立ち上がり縁間に通水部が形成されるとともに、支持枠の水平縁によって残余の溝路の上部が覆われ、かつ左右の支持枠が該支持枠の長手方向に所定間隔で配設された複数の梁部材によって連結され、各梁部材が溝路を構成する左右の側壁上に差し渡されてなる溝路用通水被覆装置において、
前記各梁部材上に少なくとも一方の支持枠の水平縁が乗載され、かつ該水平縁に、溝路の側壁の上方位置から該溝路の側壁の上端面に向けて延出する延出縁が設けられていることを特徴とする溝路用通水被覆装置。
【請求項２】
延出縁が、その下端を溝路の側壁の上端面に当接させて設けられていることを特徴とする請求項１記載の溝路用通水被覆装置。
【請求項３】
左右の支持枠の立ち上がり縁を溝路の上部の側部に偏倚した位置で対向させることにより、該左右の支持枠の立ち上がり縁間に形成される通水部を溝路の上部の側部に位置させるとともに、各梁部材の一端が、溝路の一方の側壁の上端面に一方の支持枠の延出縁の下端部を介して乗載され、かつ各梁部材の他端が、溝路の他方の側壁の上端面に他方の支持枠の水平縁又は立ち上がり縁の下端部を介して乗載されていることを特徴とする請求項２記載の溝路用通水被覆装置。
【手続補正２】
【補正対象書類名】明細書
【補正対象項目名】００１６
【補正方法】変更
【補正の内容】
【００１６】
本考案は、少なくとも一方に水平縁が連成された立ち上がり縁からなる左右の支持枠を備え、該左右の支持枠の立ち上がり縁が溝路の上部で所定間隔を置いて対向配置され、該左右の支持枠の立ち上がり縁間に通水部が形成されるとともに、支持枠の水平縁によって残余の溝路の上部が覆われ、かつ左右の支持枠が該支持枠の長手方向に所定間隔で配設された複数の梁部材によって連結され、各梁部材が溝路を構成する左右の側壁上に差し渡されてなる溝路用通水被覆装置において、前記各梁部材上に少なくとも一方の支持枠の水平縁が乗載され、かつ該水平縁に、溝路の側壁の上方位置から該溝路の側壁の上端面に向けて延出する延出縁が設けられていることを特徴とする溝路用通水被覆装置である。
【手続補正３】
【補正対象書類名】明細書
【補正対象項目名】００１９
【補正方法】変更
【補正の内容】
【００１９】
さらに、左右の支持枠の立ち上がり縁を溝路の上部の側部に偏倚した位置で対向させることにより、該左右の支持枠の立ち上がり縁間に形成される通水部を溝路の上部の側部に位置させるとともに、各梁部材の一端が、溝路の一方の側壁の上端面に一方の支持枠の延出縁の下端部を介して乗載され、かつ各梁部材の他端が、溝路の他方の側壁の上端面に他方の支持枠の水平縁又は立ち上がり縁の下端部を介して乗載されている構成が提案される。
【手続補正４】
【補正対象書類名】明細書
【補正対象項目名】００２２
【補正方法】変更
【補正の内容】
【００２２】
さらに、左右の支持枠の立ち上がり縁を溝路の上部の側部に偏倚した位置で対向させることにより、該左右の支持枠の立ち上がり縁間に形成される通水部を溝路の上部の側部に位置させるとともに、各梁部材の一端を、溝路の一方の側壁の上端面に一方の支持枠の延出縁の下端部を介して乗載し、かつ各梁部材の他端を、溝路の他方の側壁の上端面に他方の支持枠の水平縁又は立ち上がり縁の下端部を介して乗載するようにした構成にあっては、通水部を溝路の上部の最も側部に偏倚した位置に形成することができるとともに、延出縁が、その下端を溝路の一方の側壁の上端面に当接させて設けられることとなるため、溝路の一方の側壁の上端面と、一方の支持枠の水平縁の下面との間に生じる間隙を延出縁によって完全に塞ぐことができ、該間隙からのコンクリートや砂の流入を確実に防止することができる。また、下端が溝路の一方の側壁の上端面に当接する延出縁によって一方の支持枠の水平縁を支持することができるので、該水平縁の外端部分の強度をさらに高めることができる。